(57)【要約】【課題】タバコの煙を遊技者の周囲から迅速に排煙でき、さらに天井空気清浄機が吹き出す空気が遊技者に直接当たらないようにして遊技場内を温度差の少ない快適な環境にできる低コストの空気清浄装置を提供する。【解決手段】遊技場内の天井に吸込口を有し、同吸込口から吸引した空気からゴミやタバコの煙成分を除去する浄化部を有し、同浄化部で浄化された空気を遊技場内へ戻す天井空気清浄機を有した天井空気清浄機を設備し、遊技機２が列設された島１の遊技機２間の境界位置で且つ遊技機２より高い位置に下面から吸い込んで上面から吹き出す送風機３を１台又は複数台取り付ける。【選択図】図１
2016064045.tif 000002
【特許請求の範囲】
【請求項１】
遊技場内の天井に吸込口を有し、同吸込口から吸引した空気からゴミやタバコの煙成分を除去する浄化部を有し、同浄化部で浄化された空気を遊技場内へ戻す天井空気清浄機を備え、遊技機が列設された島の遊技機間の境界位置で且つ遊技機より前方で高い位置に下面から吸い込んで上方へ吹き出す送風機を１台又は複数台取り付けた、遊技設備の空気清浄装置。
【請求項２】
送風機に吸い込んだ空気を上方へ吹き出すまでの途中で浄化するフィルターを送風機に脱着自在に設けた、請求項１記載の遊技設備の空気清浄装置。
【請求項３】
送風機が、ファンを横に２体並べて内蔵し、吸込口と吹出口を横長に形成したものである、請求項１又は２記載の遊技設備の空気清浄装置。
【請求項４】
送風機が吹き出す空気に帯電イオン・オゾン・除菌剤又は消臭剤の粒子を送り込む除菌消臭剤送り込み装置を設けた、請求項１〜３いずれか記載の遊技設備の空気清浄装置。
【請求項５】
送風機の下方位置で遊技機間の境界に分煙ボードを取り付けた、請求項１〜４いずれか記載の遊技設備の空気清浄装置。
【発明の詳細な説明】
【技術分野】
【０００１】
本発明は、遊技場に設けられる空気清浄装置に関する。
【背景技術】
【０００２】
従来、複数の遊技機が列設された遊技場の島において、遊技機間の境界位置にタバコの煙が隣側へ流れないようにする分煙ボードを取り付けたものが知られている（例えば特許文献１参照）。しかし、天井空気清浄機の吸込口まで距離があるから、煙が直ぐに吸い込まれずに遊技機の周辺に長く滞留することがあり、喫煙しない遊技者が不快に感じることがあった。
【０００３】
この問題に対し、煙を遊技者の周囲から迅速に排煙する技術が特許文献２で提案されている。この技術は、遊技機間の境界位置に吸込口と吹出口を開口し、吸込口から吸い込んだ煙を含む空気を浄化して吹出口から吹き出す空気浄化ユニットを遊技機間の位置に内蔵している。しかしながら、境界位置全てに空気浄化ユニットを設ける必要があり、コストがかかっていた。また、煙は吸込口に吸い込まれるまで隣側へ流れることがあり、分煙は不十分であった。
【０００４】
一方、天井空気清浄機の吹出口も天井に有するから、その吹出口から出た下向きの流れで、汚れた空気が遊技者に吹き付けられる状態となっていた。また、冷房時に冷風が直接当たることで肌寒く感じて温度を低く設定できず、同じ遊技場内で寒い場所と暑い場所が発生することがあった。
【先行技術文献】
【特許文献】
【０００５】
【特許文献１】特開２０１３−１７６５５４号公報
【特許文献２】特開２００８−２６４０５９号公報
【発明の概要】
【発明が解決しようとする課題】
【０００６】
本発明が解決しようとする課題は、従来のこれらの問題点を解消し、タバコの煙を遊技者の周囲から迅速に排煙でき、さらに天井空気清浄機によって浄化されてが吹き出す空気が遊技者に直接当たらないようにして遊技場内を温度差の少ない快適な環境にできる低コストの遊技場の空気清浄装置を提供することにある。及び、天井に設置の空気清浄機の能力を最大に引き出して効果的に遊技場の空気浄化を行えるようにすることにある。
【課題を解決するための手段】
【０００７】
かかる課題を解決した本発明の構成は、
１）  遊技場内の天井に吸込口を有し、同吸込口から吸引した空気からゴミやタバコの煙成分を除去する浄化部を有し、同浄化部で浄化された空気を遊技場内へ戻す天井空気清浄機を備え、遊技機が列設された島の遊技機間の境界位置で且つ遊技機より前方で高い位置に下面から吸い込んで上方へ吹き出す送風機を１台又は複数台取り付けた、遊技設備の空気清浄装置
２）  送風機に吸い込んだ空気を上方へ吹き出すまでの途中で浄化するフィルターを送風機に脱着自在に設けた、前記１）記載の遊技設備の空気清浄装置
３）  送風機が、ファンを横に２体並べて内蔵し、吸込口と吹出口を横長に形成したものである、前記１）又は２）記載の遊技設備の空気清浄装置
４）  送風機が吹き出す空気に帯電イオン・オゾン・除菌剤又は消臭剤の粒子を送り込む除菌消臭剤送り込み装置を設けた、前記１）〜３）いずれか記載の遊技設備の空気清浄装置
５）  送風機の下方位置で遊技機間の境界に分煙ボードを取り付けた、前記１）〜４）いずれか記載の遊技設備の空気清浄装置
にある。
【発明の効果】
【０００８】
本発明の前記１）記載の構成によれば、遊技者が喫煙して煙が出ると、その煙を含む空気が送風機で下面から吸い込まれて上方へ吹き出され、天井空気清浄機の吸込口に吸い込まれる。したがって、煙が遊技機の周辺に滞留することなく、遊技者の周囲から迅速に排煙できる。また、従来技術の空気浄化ユニットと比較して簡易な構造で、低コストで実施できる。また、送風機が上方へ吹き出すことで天井空気清浄機の浄化部で清浄化された吹出口から出た空気が島の周囲に迂回するように下方へ流れて循環するようになり、その空気の循環で場所による温度差がなくなり、しかも吹き出した空気が遊技者に直接当たることがなくなって快適な環境となる。また、送風機は遊技機より高い位置に設けられているから、遊技機の整備や新台への入れ替え作業時に邪魔にならない。そして、天井空気清浄機の能力を最大限に活用して高い浄化力を得る。
【０００９】
本発明の前記２）記載の構成によれば、送風機に吸い込まれた空気がフィルターで浄化された後に天井空気清浄機に吸い込まれるから、天井空気清浄機の浄化力の負担を軽減できる。フィルターは脱着自在に取付けられ、汚れれば交換でき、フィルターの能力を維持できるものとしている。
【００１０】
本発明の前記３）記載の構成によれば、１台で２台分の排煙・浄化能力を有するものとなり、取り付けの作業工数も２台を取り付ける場合と比較して軽減される。
【００１１】
本発明の前記４）記載の構成によれば、送風機が吹き出す空気に帯電イオン・オゾン・除菌剤又は消臭剤の粒子を送り込むことで浄化力が高くなり、又不快臭を解消でき、島の送風機と天井空気清浄機による空気の循環で遊技場内をより快適な環境にできる。
【００１２】
本発明の前記５）記載の構成によれば、送風機に吸い込まれる前の煙が隣へ流れないように分煙ボードで分煙されて上昇気流となり、送風機により迅速に吸い込まれやすくなって、隣の遊技者はより快適に遊技できる。
【図面の簡単な説明】
【００１３】
【図１】実施例の送風機の取り付け状態を示す斜視図である。
【図２】実施例の送風機の分解斜視図である。
【図３】実施例の送風機の断面図である。
【図４】実施例の遊技機の前方における空気の流れを示す説明図である。
【図５】実施例の島における空気の流れを示す平面図である。
【図６】実施例の島における空気の流れを示す側面図である。
【図７】実施例の送風機の他の取り付け例を示す斜視図である。
【図８】実施例の他の例の送風機の取り付け状態を示す斜視図である。
【図９】実施例の他の例の送風機の一部切欠き斜視図である。
【発明を実施するための形態】
【００１４】
本発明の送風機は、ファンを２体以上（例えば横方向に複数体又は４体を前後左右に並べて）内蔵させ、排煙・浄化能力をより高めても良い。送風機は、一般的に台ランプ取り付け面に取り付けられるが、台ランプ取り付け面がないホールでは、幕板面に取り付ける。その際、例えば遊技機２台に１枚の幕板には、各々の幕板の両端部と中央に設置する。送風機の側面は鏡面仕上げして台ランプの光を反射しやすいようにし、通路に待機しているスタッフに台ランプの点灯を分かり易くしても良い。
【００１５】
天井空気清浄機の浄化部としては、フィルター、二酸化チタン、帯電イオンの放出、吸臭材、脱臭材、紫外線ランプの照射等によって浄化するものが広く用いられる。除菌消臭剤送り込み装置としては、プラズマ放電によるイオン発生器や帯電微粒子水発生装置、オゾン・除菌剤・消臭剤等の粒子を送り込む装置などの公知の機器を使用することができる。更に、空気温度・湿度調整機能を保有させるタイプ・大型の空調設備のものでもよい。
【００１６】
以下、本発明を実施するための形態を実施例と図面に基づいて具体的に説明する。なお、本発明は以下の実施例に限定されるものではなく、様々な組み合わせや変形が可能である。
【実施例】
【００１７】
図１〜６に本実施例の空気清浄装置を示す。図中、１は島、２は遊技機、３は送風機、４は分煙ボード、５は温度及び湿度調整機能を有する天井空気清浄機であって、浄化部及び温度・湿度調整の構造は省略している。Ｈは遊技者、Ｓは煙、Ｔはタバコである。
【００１８】
送風機３は、ファン３１と、ファン３１を支持するためのファン受け座３２と、空気を浄化するためのフィルター３３と、フィルター３３を支持するためのフィルター受け３４と、ファン３１・ファン受け座３２・フィルター３３・フィルター受け３４を収納するためのケース３５と、ケース３５の蓋となる上カバー３６とで構成されている。
【００１９】
ケース３５は、上面が開放された箱型で、吸込口３５ａと、ファン３１及びファン受け座３２を収納するためのファン収納部３５ｂと、フィルター受け３４を挿入するための開口部３５ｃと、ネジ穴３５ｄと、ネジ穴３５ｄにファン３１・ファン受け座３２・上カバー３６を固定するための取付ネジ３５ｅ及びナット３５ｆと、島１に取り付けるためのネジ穴３５ｇ及び取付ネジ３５ｈとで構成されている。
【００２０】
フィルター受け３４は、開口部３５ｃに引き出しのように出し入れすることができ、フィルター３３を容易に交換できるようになっている。図中、３１ａは電源ケーブル、３１ｂ，３２ａ，３６ａはネジ穴、３６ｂは吹出口である。
【００２１】
分煙ボード４は、送風機３の下方位置に取り付けられている。分煙ボード４は島１に直接固定しても良いし、遊技機２間の箇所に引き出し可能に収納できる構造にしても良い。
【００２２】
天井空気清浄機５は天井に設備され、吹出口と吸込口とを有し、吸込口から吸い込まれた空気からゴミやタバコの煙成分を除去する浄化部（図は省略している）を有し、浄化部で浄化された空気を吹出口から遊技場内へ戻す天井空気清浄機を有している（内部構造の図示は省略）。
【００２３】
この送風機３を遊技機２間の境界位置で且つ遊技機２より高い位置（台ランプ取り付け面１１）に取付ネジ３５ｈで取り付けている。ファン３１は電源スイッチ等を備えておらず、電源ケーブル３１ａを島１の内部に有する給電用のコネクター（図示は省略）に直接接続して例えば直流１２Ｖを給電し、遊技機２と同時に作動する構造となっている。
【００２４】
図４〜６に示すように、遊技者Ｈが喫煙して煙Ｓが出ると、その煙Ｓは直ぐに分煙ボード４で分煙されて上昇気流となり、煙Ｓを含む空気が送風機３に吸い込まれて浄化された後に上方へ吹き出され、天井空気清浄機５の吸込口に吸い込まれる。したがって、煙Ｓが隣へ流れたり遊技機２の周辺に滞留したりすることなく、遊技者Ｈの周囲から迅速に排煙できるものとなっている。また、従来技術の空気浄化ユニットと比較して簡易な構造で、低コストで実施できるものとなっている。
【００２５】
また、送風機３が空気を上方へ吹き出すことで、天井空気清浄機５の吹出口から出た空気は下へ降りられなくなり、島１のない大きな通路まで天井に沿って横方向へ流れて降下する。その降下した空気は島１と島１の間の遊技者Ｈがいる通路の床に流れ、それが島１の送風機３に吸い込まれて上方へ吹き出し、循環するような大きな流れが発生する。
【００２６】
したがって、送風機３で遊技場全体の空気が攪拌されて場所による温度差がなくなり、天井空気清浄機５の温度設定値を従来より冷房時２〜３℃高め（暖房時は２〜３℃低め）にしても冷暖房効果を十分に出すことができ、省エネルギーとなる。また、天井空気清浄機５から出た空気は横方向へ流れて遊技者Ｈに直接吹き付けられることがなくなり、快適な環境となる。よって、送風機３によって天井空気清浄機の空気浄化力を高めるばかりでなく、空気の温度・湿度調整の機能も高める。
【００２７】
さらに、送風機３は遊技機２より高い位置に有しているから、遊技機２の整備や新台への入れ替え作業時に邪魔になることがない。又、図７のようにランプ取付台と幕板とを兼用した高さが低い台ランプ取り付け面１１に送風機３とランプを集約してコンパクトなものとしている。
【００２８】
図７に示すのは、送風機３の他の取り付け例であって、遊技機２間の境界位置に１台の送風機３と２台の送風機３を交互に取り付けており、前面への張り出し量を抑えつつ風量を増大させ、より強力に排煙できるようになっている。その他、符号、構成、作用効果は実施例と同じである。
【００２９】
図８に示すのは、送風機３の他の例であって、ケース３５を横長に形成してファン３１を横に２体並べて内蔵したことで、実施例の送風機３の２台分の排煙・浄化能力を有し、しかも取り付けの作業工数も２台を取り付ける場合と比較して軽減されるものとなっている。その他、符号、構成、作用効果は実施例と同じである。
【００３０】
図９に示すのは、送風機３にマイナスイオン発生器６（本発明の除菌消臭剤送り込み装置）を設けた例である。マイナスイオン発生器６は、ファン３１と隣接する空間に収容され、その吹出口６１が上カバー３６に形成されている。図９（ａ）に示すのは、ファン３１を１体内蔵した例で、図９（ｂ）に示すのは、ファン３１を２体内蔵した例である。これによって、吹出口３６ｂから出た浄化済みの空気にマイナスに帯電したイオンが放出され、島１の送風機３と天井空気清浄機５による空気の循環で遊技場内をより快適な環境にできるようになる。その他、符号、構成、作用効果は実施例と同じである。
【産業上の利用可能性】
【００３１】
本発明の技術は、複数の遊技機やメダル貸し機が列設された島のある遊技場に利用される。
【符号の説明】
【００３２】
１      島
１１    台ランプ取り付け面
２      遊技機
３      送風機
３１    ファン
３１ａ  電源ケーブル
３１ｂ  ネジ穴
３２    ファン受け座
３２ａ  ネジ穴
３３    フィルター
３４    フィルター受け
３５    ケース
３５ａ  吸込口
３５ｂ  ファン収納部
３５ｃ  開口部
３５ｄ  ネジ穴
３５ｅ  取付ネジ
３５ｆ  ナット
３５ｇ  ネジ穴
３５ｈ  取付ネジ
３６    上カバー
３６ａ  ネジ穴
３６ｂ  吹出口
４      分煙ボード
５      天井空気清浄機
６      マイナスイオン発生器
６１    吹出口
Ｈ      遊技者
Ｓ      煙
Ｔ      タバコ
【図１】
2016064045.tif 000003
【図２】
2016064045.tif 000004
【図３】
2016064045.tif 000005
【図４】
2016064045.tif 000006
【図５】
2016064045.tif 000007
【図６】
2016064045.tif 000008
【図７】
2016064045.tif 000009
【図８】
2016064045.tif 000010
【図９】
2016064045.tif 000011
【手続補正書】
【提出日】平成26年9月29日(2014.9.29)
【手続補正１】
【補正対象書類名】特許請求の範囲
【補正対象項目名】全文
【補正方法】変更
【補正の内容】
【特許請求の範囲】
【請求項１】
遊技場内の天井に吸込口を有し、同吸込口から吸引した空気からゴミやタバコの煙成分を除去する浄化部を有し、同浄化部で浄化された空気を遊技場内へ戻す天井空気清浄機を備え、遊技機が列設された島の遊技機間の境界位置で且つ遊技機より前方で高い位置に下面から吸い込んで上方へ吹き出す送風機を１台又は複数台取り付けた、遊技場の空気清浄装置。
【請求項２】
送風機に吸い込んだ空気を上方へ吹き出すまでの途中で浄化するフィルターを送風機に脱着自在に設けた、請求項１記載の遊技場の空気清浄装置。
【請求項３】
送風機が、ファンを横に２体並べて内蔵し、吸込口と吹出口を横長に形成したものである、請求項１又は２記載の遊技場の空気清浄装置。
【請求項４】
送風機が吹き出す空気に帯電イオン・オゾン・除菌剤又は消臭剤の粒子を送り込む除菌消臭剤送り込み装置を設けた、請求項１〜３いずれか記載の遊技場の空気清浄装置。
【請求項５】
送風機の下方位置で遊技機間の境界に分煙ボードを取り付けた、請求項１〜４いずれか記載の遊技場の空気清浄装置。
【手続補正２】
【補正対象書類名】明細書
【補正対象項目名】全文
【補正方法】変更
【補正の内容】
【発明の詳細な説明】
【技術分野】
【０００１】
本発明は、遊技場に設けられる空気清浄装置に関する。
【背景技術】
【０００２】
従来、複数の遊技機が列設された遊技場の島において、遊技機間の境界位置にタバコの煙が隣側へ流れないようにする分煙ボードを取り付けたものが知られている（例えば特許文献１参照）。しかし、天井空気清浄機の吸込口まで距離があるから、煙が直ぐに吸い込まれずに遊技機の周辺に長く滞留することがあり、喫煙しない遊技者が不快に感じることがあった。
【０００３】
この問題に対し、煙を遊技者の周囲から迅速に排煙する技術が特許文献２で提案されている。この技術は、遊技機間の境界位置に吸込口と吹出口を開口し、吸込口から吸い込んだ煙を含む空気を浄化して吹出口から吹き出す空気浄化ユニットを遊技機間の位置に内蔵している。しかしながら、境界位置全てに空気浄化ユニットを設ける必要があり、コストがかかっていた。また、煙は吸込口に吸い込まれるまで隣側へ流れることがあり、分煙は不十分であった。
【０００４】
一方、天井空気清浄機の吹出口も天井に有するから、その吹出口から出た下向きの流れで、汚れた空気が遊技者に吹き付けられる状態となっていた。また、冷房時に冷風が直接当たることで肌寒く感じて温度を低く設定できず、同じ遊技場内で寒い場所と暑い場所が発生することがあった。
【先行技術文献】
【特許文献】
【０００５】
【特許文献１】特開２０１３−１７６５５４号公報
【特許文献２】特開２００８−２６４０５９号公報
【発明の概要】
【発明が解決しようとする課題】
【０００６】
本発明が解決しようとする課題は、従来のこれらの問題点を解消し、タバコの煙を遊技者の周囲から迅速に排煙でき、さらに天井空気清浄機によって浄化されてが吹き出す空気が遊技者に直接当たらないようにして遊技場内を温度差の少ない快適な環境にできる低コストの遊技場の空気清浄装置を提供することにある。及び、天井に設置の空気清浄機の能力を最大に引き出して効果的に遊技場の空気浄化を行えるようにすることにある。
【課題を解決するための手段】
【０００７】
かかる課題を解決した本発明の構成は、
１）  遊技場内の天井に吸込口を有し、同吸込口から吸引した空気からゴミやタバコの煙成分を除去する浄化部を有し、同浄化部で浄化された空気を遊技場内へ戻す天井空気清浄機を備え、遊技機が列設された島の遊技機間の境界位置で且つ遊技機より前方で高い位置に下面から吸い込んで上方へ吹き出す送風機を１台又は複数台取り付けた、遊技場の空気清浄装置
２）  送風機に吸い込んだ空気を上方へ吹き出すまでの途中で浄化するフィルターを送風機に脱着自在に設けた、前記１）記載の遊技場の空気清浄装置
３）  送風機が、ファンを横に２体並べて内蔵し、吸込口と吹出口を横長に形成したものである、前記１）又は２）記載の遊技場の空気清浄装置
４）  送風機が吹き出す空気に帯電イオン・オゾン・除菌剤又は消臭剤の粒子を送り込む除菌消臭剤送り込み装置を設けた、前記１）〜３）いずれか記載の遊技場の空気清浄装置
５）  送風機の下方位置で遊技機間の境界に分煙ボードを取り付けた、前記１）〜４）いずれか記載の遊技場の空気清浄装置
にある。
【発明の効果】
【０００８】
本発明の前記１）記載の構成によれば、遊技者が喫煙して煙が出ると、その煙を含む空気が送風機で下面から吸い込まれて上方へ吹き出され、天井空気清浄機の吸込口に吸い込まれる。したがって、煙が遊技機の周辺に滞留することなく、遊技者の周囲から迅速に排煙できる。また、従来技術の空気浄化ユニットと比較して簡易な構造で、低コストで実施できる。また、送風機が上方へ吹き出すことで天井空気清浄機の浄化部で清浄化された吹出口から出た空気が島の周囲に迂回するように下方へ流れて循環するようになり、その空気の循環で場所による温度差がなくなり、しかも吹き出した空気が遊技者に直接当たることがなくなって快適な環境となる。また、送風機は遊技機より高い位置に設けられているから、遊技機の整備や新台への入れ替え作業時に邪魔にならない。そして、天井空気清浄機の能力を最大限に活用して高い浄化力を得る。
【０００９】
本発明の前記２）記載の構成によれば、送風機に吸い込まれた空気がフィルターで浄化された後に天井空気清浄機に吸い込まれるから、天井空気清浄機の浄化力の負担を軽減できる。フィルターは脱着自在に取付けられ、汚れれば交換でき、フィルターの能力を維持できるものとしている。
【００１０】
本発明の前記３）記載の構成によれば、１台で２台分の排煙・浄化能力を有するものとなり、取り付けの作業工数も２台を取り付ける場合と比較して軽減される。
【００１１】
本発明の前記４）記載の構成によれば、送風機が吹き出す空気に帯電イオン・オゾン・除菌剤又は消臭剤の粒子を送り込むことで浄化力が高くなり、又不快臭を解消でき、島の送風機と天井空気清浄機による空気の循環で遊技場内をより快適な環境にできる。
【００１２】
本発明の前記５）記載の構成によれば、送風機に吸い込まれる前の煙が隣へ流れないように分煙ボードで分煙されて上昇気流となり、送風機により迅速に吸い込まれやすくなって、隣の遊技者はより快適に遊技できる。
【図面の簡単な説明】
【００１３】
【図１】実施例の送風機の取り付け状態を示す斜視図である。
【図２】実施例の送風機の分解斜視図である。
【図３】実施例の送風機の断面図である。
【図４】実施例の遊技機の前方における空気の流れを示す説明図である。
【図５】実施例の島における空気の流れを示す平面図である。
【図６】実施例の島における空気の流れを示す側面図である。
【図７】実施例の送風機の他の取り付け例を示す斜視図である。
【図８】実施例の他の例の送風機の取り付け状態を示す斜視図である。
【図９】実施例の他の例の送風機の一部切欠き斜視図である。
【発明を実施するための形態】
【００１４】
本発明の送風機は、ファンを２体以上（例えば横方向に複数体又は４体を前後左右に並べて）内蔵させ、排煙・浄化能力をより高めても良い。送風機は、一般的に台ランプ取り付け面に取り付けられるが、台ランプ取り付け面がないホールでは、幕板面に取り付ける。その際、例えば遊技機２台に１枚の幕板には、各々の幕板の両端部と中央に設置する。送風機の側面は鏡面仕上げして台ランプの光を反射しやすいようにし、通路に待機しているスタッフに台ランプの点灯を分かり易くしても良い。
【００１５】
天井空気清浄機の浄化部としては、フィルター、二酸化チタン、帯電イオンの放出、吸臭材、脱臭材、紫外線ランプの照射等によって浄化するものが広く用いられる。除菌消臭剤送り込み装置としては、プラズマ放電によるイオン発生器や帯電微粒子水発生装置、オゾン・除菌剤・消臭剤等の粒子を送り込む装置などの公知の機器を使用することができる。更に、空気温度・湿度調整機能を保有させるタイプ・大型の空調設備のものでもよい。
【００１６】
以下、本発明を実施するための形態を実施例と図面に基づいて具体的に説明する。なお、本発明は以下の実施例に限定されるものではなく、様々な組み合わせや変形が可能である。
【実施例】
【００１７】
図１〜６に本実施例の空気清浄装置を示す。図中、１は島、２は遊技機、３は送風機、４は分煙ボード、５は温度及び湿度調整機能を有する天井空気清浄機であって、浄化部及び温度・湿度調整の構造は省略している。Ｈは遊技者、Ｓは煙、Ｔはタバコである。
【００１８】
送風機３は、ファン３１と、ファン３１を支持するためのファン受け座３２と、空気を浄化するためのフィルター３３と、フィルター３３を支持するためのフィルター受け３４と、ファン３１・ファン受け座３２・フィルター３３・フィルター受け３４を収納するためのケース３５と、ケース３５の蓋となる上カバー３６とで構成されている。
【００１９】
ケース３５は、上面が開放された箱型で、吸込口３５ａと、ファン３１及びファン受け座３２を収納するためのファン収納部３５ｂと、フィルター受け３４を挿入するための開口部３５ｃと、ネジ穴３５ｄと、ネジ穴３５ｄにファン３１・ファン受け座３２・上カバー３６を固定するための取付ネジ３５ｅ及びナット３５ｆと、島１に取り付けるためのネジ穴３５ｇ及び取付ネジ３５ｈとで構成されている。
【００２０】
フィルター受け３４は、開口部３５ｃに引き出しのように出し入れすることができ、フィルター３３を容易に交換できるようになっている。図中、３１ａは電源ケーブル、３１ｂ，３２ａ，３６ａはネジ穴、３６ｂは吹出口である。
【００２１】
分煙ボード４は、送風機３の下方位置に取り付けられている。分煙ボード４は島１に直接固定しても良いし、遊技機２間の箇所に引き出し可能に収納できる構造にしても良い。
【００２２】
天井空気清浄機５は天井に設備され、吹出口と吸込口とを有し、吸込口から吸い込まれた空気からゴミやタバコの煙成分を除去する浄化部（図は省略している）を有し、浄化部で浄化された空気を吹出口から遊技場内へ戻す空気清浄機能を有している（内部構造の図示は省略）。
【００２３】
この送風機３を遊技機２間の境界位置で且つ遊技機２より高い位置（台ランプ取り付け面１１）に取付ネジ３５ｈで取り付けている。ファン３１は電源スイッチ等を備えておらず、電源ケーブル３１ａを島１の内部に有する給電用のコネクター（図示は省略）に直接接続して例えば直流１２Ｖを給電し、遊技機２と同時に作動する構造となっている。
【００２４】
図４〜６に示すように、遊技者Ｈが喫煙して煙Ｓが出ると、その煙Ｓは直ぐに分煙ボード４で分煙されて上昇気流となり、煙Ｓを含む空気が送風機３に吸い込まれて浄化された後に上方へ吹き出され、天井空気清浄機５の吸込口に吸い込まれる。したがって、煙Ｓが隣へ流れたり遊技機２の周辺に滞留したりすることなく、遊技者Ｈの周囲から迅速に排煙できるものとなっている。また、従来技術の空気浄化ユニットと比較して簡易な構造で、低コストで実施できるものとなっている。
【００２５】
また、送風機３が空気を上方へ吹き出すことで、天井空気清浄機５の吹出口から出た空気は下へ降りられなくなり、島１のない大きな通路まで天井に沿って横方向へ流れて降下する。その降下した空気は島１と島１の間の遊技者Ｈがいる通路の床に流れ、それが島１の送風機３に吸い込まれて上方へ吹き出し、循環するような大きな流れが発生する。
【００２６】
したがって、送風機３で遊技場全体の空気が攪拌されて場所による温度差がなくなり、天井空気清浄機５の温度設定値を従来より冷房時２〜３℃高め（暖房時は２〜３℃低め）にしても冷暖房効果を十分に出すことができ、省エネルギーとなる。また、天井空気清浄機５から出た空気は横方向へ流れて遊技者Ｈに直接吹き付けられることがなくなり、快適な環境となる。よって、送風機３によって天井空気清浄機の空気浄化力を高めるばかりでなく、空気の温度・湿度調整の機能も高める。
【００２７】
さらに、送風機３は遊技機２より高い位置に有しているから、遊技機２の整備や新台への入れ替え作業時に邪魔になることがない。又、図７のようにランプ取付台と幕板とを兼用した高さが低い台ランプ取り付け面１１に送風機３とランプを集約してコンパクトなものとしている。
【００２８】
図７に示すのは、送風機３の他の取り付け例であって、遊技機２間の境界位置に１台の送風機３と２台の送風機３を交互に取り付けており、前面への張り出し量を抑えつつ風量を増大させ、より強力に排煙できるようになっている。その他、符号、構成、作用効果は実施例と同じである。
【００２９】
図８に示すのは、送風機３の他の例であって、ケース３５を横長に形成してファン３１を横に２体並べて内蔵したことで、実施例の送風機３の２台分の排煙・浄化能力を有し、しかも取り付けの作業工数も２台を取り付ける場合と比較して軽減されるものとなっている。その他、符号、構成、作用効果は実施例と同じである。
【００３０】
図９に示すのは、送風機３にマイナスイオン発生器６（本発明の除菌消臭剤送り込み装置）を設けた例である。マイナスイオン発生器６は、ファン３１と隣接する空間に収容され、その吹出口６１が上カバー３６に形成されている。図９（ａ）に示すのは、ファン３１を１体内蔵した例で、図９（ｂ）に示すのは、ファン３１を２体内蔵した例である。これによって、吹出口３６ｂから出た浄化済みの空気にマイナスに帯電したイオンが放出され、島１の送風機３と天井空気清浄機５による空気の循環で遊技場内をより快適な環境にできるようになる。その他、符号、構成、作用効果は実施例と同じである。
【産業上の利用可能性】
【００３１】
本発明の技術は、複数の遊技機やメダル貸し機が列設された島のある遊技場に利用される。
【符号の説明】
【００３２】
１      島
１１    台ランプ取り付け面
２      遊技機
３      送風機
３１    ファン
３１ａ  電源ケーブル
３１ｂ  ネジ穴
３２    ファン受け座
３２ａ  ネジ穴
３３    フィルター
３４    フィルター受け
３５    ケース
３５ａ  吸込口
３５ｂ  ファン収納部
３５ｃ  開口部
３５ｄ  ネジ穴
３５ｅ  取付ネジ
３５ｆ  ナット
３５ｇ  ネジ穴
３５ｈ  取付ネジ
３６    上カバー
３６ａ  ネジ穴
３６ｂ  吹出口
４      分煙ボード
５      天井空気清浄機
６      マイナスイオン発生器
６１    吹出口
Ｈ      遊技者
Ｓ      煙
Ｔ      タバコ